(57)【特許請求の範囲】
【請求項１】
遊技機の受皿から落下する遊技媒体を受け入れる遊技媒体受入具であって、
遊技媒体が貯留される貯留空間を備えた本体部材と、
前記本体部材に可動に支持され、付勢手段の付勢力により前記本体部材から迫り出した状態で前記受皿と前記本体部材との隙間を塞ぐ可動壁部材と、
前記本体部材の背面側に取り付けられ、前記遊技機と前記本体部材との隙間を塞ぐ弾性部材と、を有し、
前記可動壁部材は、背面側を支点として正面側が回動自在に構成されていることを特徴とする遊技媒体受入具。
【請求項２】
遊技機の受皿から落下する遊技媒体を受け入れる遊技媒体受入具であって、
遊技媒体が貯留される貯留空間を備えた本体部材と、
前記本体部材に可動に支持され、付勢手段の付勢力により前記本体部材から迫り出した状態で前記受皿と前記本体部材との隙間を塞ぐ可動壁部材と、
前記本体部材の背面側に取り付けられ、前記遊技機と前記本体部材との隙間を塞ぐ弾性部材と、を有し、
前記本体部材は、前記遊技媒体の跳ね返りの小さい低反発素材で形成された底板部材を備えていることを特徴とする遊技媒体受入具。
【請求項３】
遊技機の受皿から落下する遊技媒体を受け入れる遊技媒体受入具であって、
遊技媒体が貯留される貯留空間を備えた本体部材と、
前記本体部材に可動に支持され、付勢手段の付勢力により前記本体部材から迫り出した状態で前記受皿と前記本体部材との隙間を塞ぐ可動壁部材と、
前記本体部材の背面側に取り付けられ、前記遊技機と前記本体部材との隙間を塞ぐ弾性部材と、
前記本体部材と前記遊技媒体受入具を支持する膳板との間に設置され、前記本体部材の下面を固定するとともに、前記本体部材の高さを変更する少なくとも一つの固定ベース部材と、
を有することを特徴とする遊技媒体受入具。
【請求項４】
前記弾性部材は、前記遊技機と前記本体部材との隙間を塞いだ状態で、前記貯留空間に向けて下り傾斜を形成する状態に変形可能であることを特徴とする請求項１〜３のいずれか一項に記載の遊技媒体受入具。
【請求項５】
前記弾性部材の上面部の端部に、前記遊技媒体の落下を阻止する凸部が形成されていることを特徴とする請求項１〜４のいずれか一項に記載の遊技媒体受入具。
【請求項６】
前記弾性部材は、前記本体部材に対して着脱自在に形成されていることを特徴とする請求項１〜５のいずれか一項に記載の遊技媒体受入具。
【請求項７】
前記可動壁部材は、前記貯留空間に向けて張り出す張出板部材を有することを特徴とする請求項１〜６のいずれか一項に記載の遊技媒体受入具。
【請求項８】
前記可動壁部材は、押込み式係止機構部を介して前記本体部材に係止されて前記本体部材内に収容された第１の位置と、前記押込み式係止機構部に解除されて前記本体部材から迫り出す第２の位置とを取り得ることを特徴とする請求項１〜７のいずれか一項に記載の遊技媒体受入具。
【請求項９】
前記張出板部材は、前記貯留空間に向けて下り傾斜となるように形成されていることを特徴とする請求項７に記載の遊技媒体受入具。
【請求項１０】
前記張出板部材は、前記可動壁部材に対して着脱自在であることを特徴とする請求項７に記載の遊技媒体受入具。
【請求項１１】
前記固定ベース部材及び前記本体部材は、前記各固定ベース部材同士や、前記固定ベース部材と前記本体部材とを相互に着脱自在に連結する連結手段を有することを特徴とする請求項３に記載の遊技媒体受入具。
【請求項１２】
前記固定ベース部材は、前記本体部材が載置される載置部位と、前記載置部位の周囲に形成された案内溝とを有し、
前記案内溝には、所定の箇所に遊技媒体を案内可能な傾斜が形成されていることを特徴とする請求項３又は請求項１１に記載の遊技媒体受入具。
【請求項１３】
前記本体部材は、前記受皿から受け入れた遊技媒体を計数機に案内する案内路部に連設された流路部を有し、
前記底板部材は、前記流路部に向けて下り傾斜になっていることを特徴とする請求項２に記載の遊技媒体受入具。
【請求項１４】
請求項１〜１３のいずれか一項に記載の遊技媒体受入具と、前記遊技媒体受入具で受け入れた遊技媒体を計数機に案内する案内路部とを備えることを特徴とする遊技媒体案内ユニット。
【発明の詳細な説明】
【技術分野】
【０００１】
本発明は、遊技機の受皿から落下する遊技媒体を受け入れる遊技媒体受入具と、この遊技媒体受入具を備えた遊技媒体案内ユニットに関する。
【背景技術】
【０００２】
従来、一対のパチンコ機及び玉貸機毎に対応付けて設置され、パチンコ機の前面下部の受皿から落下する遊技媒体を玉貸機の下端側に収納されている玉計数機に案内する遊技媒体案内ユニットが知られている（例えば、特許文献１参照）。遊技媒体玉案内ユニットは、遊技媒体を受け入れる遊技媒体受入具と、遊技媒体受入具内の遊技媒体を玉計数機に流下させる玉通路とを主に有している。
【先行技術文献】
【特許文献】
【０００３】
【特許文献１】特開平１０−２４９０４７号公報（図１）
【発明の概要】
【発明が解決しようとする課題】
【０００４】
前記した特許文献１の遊技媒体玉案内ユニットにおいては、受皿から落下した遊技媒体が、遊技媒体受入具の貯留空間内で他の遊技媒体と衝突したり、貯留空間を形成する底板や側壁などと衝突したりして、遊技媒体受入具の外部に跳び出してしまう虞があった。
【０００５】
そこで本発明は、前記した問題に鑑みてなされたものであり、遊技機の受皿から落下した遊技媒体が遊技媒体受入具から外部へ跳び出すのを阻止することができる遊技媒体受入具及びこれを備えた遊技媒体案内ユニットを提供することを目的とする。
【課題を解決するための手段】
【０００６】
本発明は、上記課題を解決したものであり、遊技機の受皿から落下する遊技媒体を受け入れる遊技媒体受入具であって、遊技媒体が貯留される貯留空間を備えた本体部材と、前記本体部材に可動に支持され、付勢手段の付勢力により前記本体部材から迫り出した状態で前記受皿と前記本体部材との隙間を塞ぐ可動壁部材と、前記本体部材の背面側に取り付けられ、前記遊技機と前記本体部材との隙間を塞ぐ弾性部材と、を有することを特徴とする。
【０００７】
かかる構成によれば、可動壁部材及び弾性部材によって、本体部材と受皿との隙間及び本体部材と遊技機との隙間が塞がれるため、遊技媒体が遊技媒体受入具から外部に跳び出すのを阻止することができる。
【０００８】
また、前記弾性部材は、前記遊技機と前記本体部材との隙間を塞いだ状態で、前記貯留空間に向けて下り傾斜を形成する状態に変形可能であることが好ましい。
【０００９】
かかる構成によれば、弾性部材の傾斜によって遊技媒体を貯留空間に案内することができる。
【００１０】
また、前記弾性部材の上面部の端部に、前記遊技媒体の落下を阻止する凸部が形成されていることが好ましい。かかる構成によれば、遊技媒体の落下をより確実に阻止することができる。
【００１１】
また、前記弾性部材は、前記本体部材に対して着脱自在に連結する連結手段を有することが好ましい。かかる構成によれば、弾性部材の取付性を向上させることができる。
【００１２】
また、前記可動壁部材は、前記貯留空間に向けて張り出す張出板部材を有することが好ましい。かかる構成によれば、貯留空間に入った遊技媒体が外部に跳び出すことをより確実に阻止することができる。
【００１３】
また、前記可動壁部材は、押込み式係止機構部を介して前記本体部材に係止されて前記本体部材内に収容された第１の位置と、前記押込み式係止機構部に解除されて前記本体部材から迫り出す第２の位置とを取り得ることが好ましい。
【００１４】
かかる構成によれば、可動壁部材を第１の位置に位置させた状態で遊技媒体受入具を取り付けることができるため、取付性を高めることができる。なお、押込み式係止機構部としては、例えばプッシュラッチ機構が挙げられる。
【００１５】
また、前記張出板部材は、前記貯留空間に向けて下り傾斜となるように形成されていることが好ましい。かかる構成によれば、遊技媒体が張出板部材に乗り上げたとしても貯留空間に案内することができる。
【００１６】
また、前記張出板部材は、前記可動壁部材に対して着脱自在であることが好ましい。かかる構成によれば、張出板部材の取付性を高めることができる。
【００１７】
また、前記本体部材と前記遊技媒体受入具を支持する膳板との間に設置され、前記本体部材の下面を固定するとともに、前記本体部材の高さを変更する少なくとも一つの固定ベース部材を更に備えることが好ましい。
【００１８】
かかる構成によれば、固定ベースを用いて遊技媒体受入具の高さ調節を容易に行うことができる。
【００１９】
また、前記固定ベース部材及び前記本体部材は、前記各固定ベース部材同士や、前記固定ベース部材と前記本体部材とを相互に着脱自在に連結する連結手段を有することが好ましい。かかる構成によれば、固定ベース部材の取付性を高めることができる。
【００２０】
また、前記固定ベース部材は、前記本体部材が載置される載置部位と、前記載置部位の周囲に形成された案内溝とを有し、前記案内溝には、所定の箇所に遊技媒体を案内可能な傾斜が形成されていることが好ましい。
【００２１】
かかる構成によれば、仮に、遊技媒体が遊技媒体受入具の外部に飛び出たとしても、案内溝でその遊技媒体を受け入れて、案内溝の傾斜によって所定の箇所に遊技媒体を集めることができる。
【００２２】
また、前記本体部材内に、前記遊技媒体の跳ね返りの小さい低反発素材で形成された底板部材を更に備えていることが好ましい。かかる構成によれば、底板部材による遊技媒体の跳ね返りを抑えることができる。
【００２３】
また、前記本体部材は、前記受皿から受け入れた遊技媒体を計数機に案内する案内路部に連設された流路部を有し、前記底板部材は、前記流路部に向けて下り傾斜になっていることが好ましい。かかる構成によれば、受け入れた遊技媒体を計数機方向にスムーズに流下させることができる。また、本発明は、遊技機の受皿から落下する遊技媒体を受け入れる遊技媒体受入具であって、遊技媒体が貯留される貯留空間を備えた本体部材と、前記本体部材に可動に支持され、付勢手段の付勢力により前記本体部材から迫り出した状態で前記受皿と前記本体部材との隙間を塞ぐ可動壁部材と、前記本体部材の背面側に取り付けられ、前記遊技機と前記本体部材との隙間を塞ぐ弾性部材と、を有し、前記可動壁部材は、背面側を支点として正面側が回動自在に構成されていることを特徴とする。
【００２４】
また、本発明は、請求項１〜１３のいずれか一項に記載の遊技媒体受入具と、前記遊技媒体受入具で受け入れた遊技媒体を計数機に案内する案内路部とを備えることが好ましい。かかる構成によれば、遊技媒体受入具の遊技媒体を計数機に案内することができる。
【発明の効果】
【００２５】
本発明に係る遊技媒体受入具及び遊技媒体案内ユニットよれば、遊技機の受皿から落下した遊技媒体が遊技媒体受入具から外部へ跳び出すのを阻止することができる。
【図面の簡単な説明】
【００２６】
【図１】本実施形態のパチンコ玉案内ユニットの設置態様を示す外観斜視図である。
【図２】パチンコ玉案内ユニットの構成を示す外観斜視図であって、（ａ）は可動壁部材が迫り出した状態を示し、（ｂ）は可動壁部材が収納された状態を示す。
【図３】可動壁部材周りを示す一部透過斜視図である。
【図４】張出板部材を示す斜視図であって、（ａ）が張出板部材を可動壁部材に実装する前の状態を示し、（ｂ）が張出板部材を可動壁部材に実装した後の状態を示し、（ｃ）が（ａ）とは反対方向から張出板部材を可動壁部材に実装する前の状態を示す。
【図５】固定ベース部材を示す図であって、（ａ）が一対の固定ベース部材を連結する前の状態を斜め上方から見た図であり、（ｂ）が一対の固定ベース部材を連結した後の状態を斜め上方から見た図であり、（ｃ）が、本体部材と固定ベース部材とを連結した後の状態を斜め下方から見た図である。
【図６】弾性部材を示す図であり、（ａ）が正面から見た斜視図であって本体部材との係合状態を示し、（ｂ）が弾性部材を背面から見た斜視図であり、（ｃ）が弾性部材単体を正面から見た斜視図である。
【図７】パチンコ玉案内ユニットを右側から見た側面図である。
【図８】遊技媒体受入具の底板部材を示した斜視図である。
【図９】（ａ）は案内路部の断面図であり、（ｂ）は案内路部の下流側を示す斜視図であり、（ｃ）は玉計数機の開口を示す斜視図である。
【図１０】固定ベース部材の変形例を示す斜視図である。
【図１１】可動壁部材及び張出板部材の変形例を示す斜視図である。
【図１２】弾性部材の変形例を示す全体斜視図であり、係合前の状態を示す。
【図１３】（ａ）は、弾性部材の変形例を示す単体斜視図であり、（ｂ）は、ブラケットを示す単体斜視図であり、（ｃ）は、弾性部材とブラケットを係合させた状態の断面図である。
【図１４】第一支持部及び第三支持部を示す斜視図である。
【図１５】（ａ）は、弾性部材の変形例を示す全体斜視図であり、係合後の状態を示し、（ｂ）はその要部拡大図である。
【発明を実施するための形態】
【００２７】
以下、本発明の実施形態について添付図面を参照して説明する。本実施形態に係る遊技媒体案内ユニットは、遊技結果に応じて遊技媒体を外部の受皿に払い出す遊技機毎に設置される。本実施形態では、遊技媒体案内ユニットがパチンコ機に設置される場合を例示して説明する。なお、説明においてはパチンコ機に対して遊技者側を正面側、正面の反対側を背面側、遊技者から見て左を左側、右を右側とする。
【００２８】
＜遊技媒体案内ユニット１の構成＞
図１に示すように、遊技媒体案内ユニット１（以下、「パチンコ玉案内ユニット１」とも言う）は、受皿２ａから落下する遊技媒体Ｂを受け入れて一時貯留する遊技媒体受入具１０と、この遊技媒体受入具１０で受け入れて一時貯留された遊技媒体Ｂを玉計数機４に案内する案内路部２０とを主体に構成されている。
【００２９】
パチンコ玉案内ユニット１は、一対のパチンコ機２及び玉貸機３毎に対応付けて設置され、パチンコ機２の前面下部の受皿２ａから落下する遊技媒体Ｂを玉貸機３の下端側に収納されている玉計数機４に案内するための器具である。
【００３０】
パチンコ機２から受皿２ａに払い出された遊技媒体Ｂは、遊技者の排出レバー２ｂのスライド操作によってシャッタ２ｃが開くことにより、開口した落下口２ｄから遊技媒体受入具１０へ落下する。
【００３１】
玉計数機４は、通過する遊技媒体Ｂをそれぞれ検知して計数する遮光型フォトセンサなどの計数センサであり、この計数センサにて計数を終えた遊技媒体Ｂは、玉計数機４の背面側の排出口（不図示）からパチンコ島の内部に排出されて回収される。
【００３２】
＜遊技媒体受入具１０の構成＞
遊技媒体受入具１０は、図２に示すように、本体部材１１と、可動壁部材１２と、張出板部材１３と、固定ベース部材１４と、弾性部材１５と、底板部材１６とで主に構成されている。
【００３３】
本体部材１１は、遊技媒体受入具１０のベース部分であって、上方が開放された箱状体を呈する。本体部材１１は、受皿２ａから落下する遊技媒体Ｂを受け入れるための上方開口部Ｏ１と、その上方開口部Ｏ１から受け入れた多数の遊技媒体Ｂを一時貯留するための貯留空間Ｓなどが形成されている。
【００３４】
貯留空間Ｓは、図２に示すように、底板部材１６と、底板部材１６を囲む正面壁部１１Ｂと、背面壁部１１Ｃと、左側壁部１１Ｄ、右側壁部１１Ｅとによって形成される空間であり、所定量の遊技媒体Ｂを収容する。左側壁部１１Ｄには、案内路部２０に連通する排出口Ｏ２が形成されている。
【００３５】
可動壁部材１２は、図３に示すように、平面視コの字状を呈する部材であって、本体部材１１の内部に設置される。可動壁部材１２は、正面側に配設された正面部１２Ａ、左側に配設された左側部１２Ｂ及び右側に配設された右側部１２Ｃを主に有する。可動壁部材１２は、遊技媒体受入具１０と受皿２ａの間の隙間のうち、正面及び左右側を塞ぐことで受皿２ａから落下した遊技媒体Ｂの遊技媒体受入具１０から外部への跳び出しを阻止する部材である。可動壁部材１２は、本体部材１１の上方開口部Ｏ１の背面側において回動機構部１８を介して取り付けられており、回動機構部１８を支点に正面部１２Ａ側が上下に可動する。
【００３６】
回動機構部１８は、図３に示すように、可動壁部材１２を本体部材１１に対して回動自在に支持するための機構部であり、本実施形態では、本体部材１１に形成された軸穴１１ａに軸装される回動軸１８ａと、その回動軸１８ａに取り付けられる捩りばね（付勢手段）１８ｂとを主体に構成される。捩りばね１８ｂは、一端が可動壁部材１２に係止されるとともに、他端が本体部材１１に形成された溝部１１ｂに貫挿される。可動壁部材１２は、捩りばね１８ｂの反力によって上方に付勢される。本実施形態では、正面部１２Ａが正面側（遊技者側）に向かって円弧状に膨らむように湾曲形成されている。そのため、使用状態においては、可動壁部材１２が本体部材１１から扇状に迫り出す（図７参照）。
【００３７】
なお、前記捩りばね（付勢手段）１８ｂの強度や、巻き数等を変更することにより、可動壁部材１２の本体部材１１からの迫り出し量又は受皿２ａへの押圧力等を変更することが可能である。
【００３８】
また、本実施形態の可動壁部材１２は、可動壁部材１２を固定又は固定解除するためのプッシュラッチ機構部１７（押込み式係止機構部）を備えている。プッシュラッチ機構部１７は、本実施形態では、正面部１２Ａの中央下端に設けられたオス部１７ａと、本体部材１１の正面壁部１１Ｂの内面中央に設けられたメス部１７ｂとを主体に構成されている。プッシュラッチ機構部１７は、メス部１７ｂにオス部１７ａを押入することで、メス部１７ｂとオス部１７ａが係止されて係止状態を維持できる。また、係止状態からメス部１７ｂ（可動壁部材１２）を押下すると、メス部１７ｂとオス部１７ａの係止が解除される。
【００３９】
より詳しく説明すると、店員などによって可動壁部材１２が矢印Ａ１方向に押下操作されると、メス部１７ｂにオス部１７ａが係止され、図２の（ｂ）に示すように、可動壁部材１２が本体部材１１内に収容された状態が維持される。つまり、可動壁部材１２は、本体部材１１内に収容された第１の位置に位置する。
一方、第一の位置から店員などによって可動壁部材１２が矢印Ａ１方向に押下操作されると、オス部１７ａがメス部１７ｂから解除されて可動壁部材１２が捩りばね１８ｂの付勢力により本体部材１１から上方に迫り出される。つまり、可動壁部材１２は、本体部材１１から迫り出した第２の位置に位置する。
【００４０】
張出板部材１３は、図２に示すように、可動壁部材１２の上端側に取り付けられ、上方開口部Ｏ１の開口を小さくすることで受皿２ａから遊技媒体受入具１０内に落下して跳ね返る遊技媒体Ｂの外部への跳び出しを阻止する部材である。
【００４１】
ここで、図４は、張出板部材１３を示す斜視図であって、（ａ）が張出板部材１３を可動壁部材１２に実装する前の状態を示し、（ｂ）が張出板部材１３を可動壁部材１２に実装した後の状態を示し、（ｃ）が（ａ）とは反対方向から張出板部材１３を可動壁部材１２に実装する前の状態を示す。
【００４２】
図４の（ａ）及び（ｂ）に示すように、この張出板部材１３は、３つの規制板部１３Ａ〜１３Ｃによって略コの字状に形成された板部材である。本実施形態では、３つの規制板部１３Ａ〜１３Ｃは、貯留空間Ｓの中央に向かって緩やかな下り傾斜になっている。張出板部材１３は、可動壁部材１２の上端に形成された溝部１２ａに係合される複数のツメ部材１３ａ〜１３ｅを備えている。溝部１２ａは、可動壁部材１２の内縁の全周に亘って形成されている。張出板部材１３は、溝部１２ａとツメ部材１３ａ〜１３ｅとを係合又は解除することで、可動壁部材１２の上端に着脱自在に取り付けられる。
【００４３】
張出板部材１３を取り付ける場合には、図４の（ａ）に示すように、張出板部材１３の左右の規制板部１３Ｂ及び１３Ｃを溝部１２ａ上で矢印Ａ２方向にスライドさせて、正面の規制板部１３Ａに形成された３つのツメ部材１３ａ〜１３ｃを溝部１２ａに係合させる。そして、左右の規制板部１３Ｂ、１３Ｃに形成された各ツメ部材１３ｄ，１３ｅの付近を下方（矢印Ａ３及び矢印Ａ４）に押下して各ツメ部材１３ｄ，１３ｅを溝部１２ａに係合させることにより、張出板部材１３を可動壁部材１２の上端に取り付ける。
【００４４】
張出板部材１３を外す場合には、前記した取り付け順序とは逆に、左右の規制板部１３Ｂ，１３Ｃに形成された各ツメ部材１３ｄ，１３ｅの付近を上方に引っ張って各ツメ部材１３ｄ，１３ｅと溝部１２ａとの係合を解除させる。そして、張出板部材１３の左右の規制板部１３Ｂ，１３Ｃを溝部１２ａ上で背面側に向けてスライドさせて正面の規制板部１３Ａに形成された３つのツメ部材１３ａ〜１３ｃと溝部１２ａとの係合を解除させることにより、張出板部材１３を可動壁部材１２の上端から取り外す。
【００４５】
なお、この張出板部材１３は、パチンコ機２の受皿２ａの位置に応じて、取り付け方向を変更することが可能である。つまり、図４（ｃ）に示すように、上方開口部Ｏ１の背面側及び左側及び右側を規制するように規制板部１３Ａ〜１３Ｃを配置させてもよい。
【００４６】
固定ベース部材１４は、図２に示すように、遊技媒体受入具１０の高さを調整するとともに当該遊技媒体受入具１０を膳板Ｔに固定する部材である。
【００４７】
ここで図５は、固定ベース部材１４を示す図であって、（ａ）が一対の固定ベース部材１４を連結する前の状態を斜め上方から見た図であり、（ｂ）が一対の固定ベース部材１４を連結した後の状態を斜め上方から見た図であり、（ｃ）が、本体部材１１と固定ベース部材１４とを連結した後の状態を斜め下方から見た図である。
【００４８】
図５の（ａ）に示すように、本実施形態では、厚み寸法が小さい第１の固定ベース部材１４Ａと、厚み寸法が大きい第２の固定ベース部材１４Ｂの２種類の固定ベース部材を用いている。第１の固定ベース部材１４Ａの厚み寸法をＨ１（例えば、６ｍｍ）とし、第２の固定ベース部材１４Ｂの厚み寸法をＨ１より大きいＨ２（例えば、９ｍｍ）とする。
【００４９】
第１の固定ベース部材１４Ａ及び第２の固定ベース部材１４Ｂは、板状を呈する部材であって、板厚を除いては略同等の形状で形成されている。第１の固定ベース部材１４Ａ及び第２の固定ベース部材１４Ｂは、遊技媒体受入具１０の本体部材１１の底面と略同等の大きさで形成された載置部位１４０ａと、載置部位１４０ａの背面側に形成された非載置部位１４０ｂと、を有する。また、第１の固定ベース部材１４Ａ及び第２の固定ベース部材１４Ｂの載置部位１４０ａには、それぞれ対向する固定ベース部材に連結するための第１連結手段と、遊技媒体受入具１０に連結するための第２連結手段とが形成されている。
【００５０】
載置部位１４０ａは、その固定ベース部材１４が最上位である場合（本実施形態では、第１の固定ベース部材１４Ａが最上位）に、遊技媒体受入具１０の本体部材１１が載置される部位である。非載置部位１４０ｂは、載置部位１４０ａと略同等の長さで、載置部位１４０ａの背面側に張り出している。非載置部位１４０ｂは、左右方向の中央部分が最も高く、左右両端に向けて低くなるように傾斜している（図５（ａ）、（ｂ）中の矢印Ａ４，Ａ５参照）。仮に、遊技媒体受入具１０の背面側に遊技媒体Ｂが入り込み非載置部位１４０ｂに乗ると、遊技媒体Ｂが非載置部位１４０ｂの傾斜に案内されて支持面Ｔ１に落下する。これにより、遊技媒体Ｂを容易に回収することができる。
【００５１】
第１連結手段は、各固定ベース部材の表面の両サイド側に形成された連結用のツメ部材１４１ａ〜１４１ｄと、各固定ベース部材の裏面の両サイド側、即ち、連結用のツメ部材１４１ａ〜１４１ｄに対応して形成された連結用の４つの係合穴から構成される。例えば、図５の（ｃ）に示す係合穴１４２ａ，１４２ａｂは、ツメ部材１４１ａ，１４１ｂに係合される部位である。
【００５２】
第２連結手段は、図５の（ａ）及び（ｃ）に示すように、各固定ベース部材１４の表面から裏面まで挿通した挿通孔１４３ａ，１４３ｂと、遊技媒体受入具１０の本体部材１１の下面に形成されたそれぞれ一対の挿入部１１ｄ，１１ｅと、係合部１１ｆ，１１ｇから構成される。挿入部１１ｄ，１１ｄは、挿通孔１４３ａに隙間なく挿入される。挿入部１１ｅ，１１ｅは、挿通孔１４３ｂに隙間なく挿入される。挿通孔１４３ａ，１４３ｂの下端にはそれぞれ切り欠かれた切欠き部１４４ａ，１４４ｂが形成されており、この切欠き部１４４ａ，１４４ｂに係合部１１ｆ，１１ｇがそれぞれ係合する。
【００５３】
図５の（ｂ）に示すように、本実施形態では、膳板Ｔの支持面（パチンコ玉案内ユニット１が設置される設置面）Ｔ１の高さと台取付面Ｔ２の高さとの段差Ｈ３に応じて、第１の固定ベース部材１４Ａ及び第２の固定ベース部材１４Ｂの各枚数の組み合わせを調節することにより、段差Ｈ３を無くすことができる。例えば、段差Ｈ３と第１の固定ベース部材１４Ａ及び第２の固定ベース部材１４Ｂの合計高さとの差が±１ｍｍの範囲内に収めるように設定することで、パチンコ玉案内ユニット１を水平に設置することができるので、安定した状態でパチンコ玉案内ユニット１を設置することができる。
【００５４】
固定ベース部材１４の枚数調節の具体的な例としては、例えば、段差Ｈ３が１８〜２０ｍｍであれば、厚み寸法が９ｍｍの第２の固定ベース部材１４Ｂを２枚の組合せとなるし、段差Ｈ３が１４〜１６ｍｍなら、厚み寸法が６ｍｍの第１の固定ベース部材１４Ａを１枚と、厚み寸法が９ｍｍの第２の固定ベース部材１４Ｂを１枚の組み合わせとなる。
【００５５】
固定ベース部材１４の組み合わせが決定されると、それら必要な固定ベース部材を用意し、例えば下側に配置される第２の固定ベース部材１４Ｂを両面粘着シートなどにより支持面Ｔ１に固定する。次いで、固定された第２の固定ベース部材１４Ｂに、第１の固定ベース部材１４Ａを前記した第１連結手段により連結する。最後に、第１の固定ベース部材と遊技媒体受入具１０とを前記した第２連結手段により連結する。
【００５６】
弾性部材１５は、図２に示すように、本体部材１１の背面側に取り付けられる部材であって、パチンコ機２（図１参照）に押し当てて、遊技媒体受入具１０の背面側とパチンコ機２との間の間隙を塞ぐ部材である。
【００５７】
ここで図６は、弾性部材１５を示す図であり、（ａ）が正面から見た斜視図であって本体部材との係合状態を示し、（ｂ）が弾性部材を背面から見た斜視図であり、（ｃ）が、弾性部材単体を正面から見た斜視図である。
【００５８】
図６に示すように、弾性部材１５は、本体部材１１の背面壁部１１Ｃに着脱自在に取り付けられるゴムなどの弾性体で形成される部材である。弾性部材１５は、背面壁部１１Ｃの長手方向の寸法と略同じ寸法からなる上面部１５Ａと、その上面部１５Ａの長手方向の一縁に接続されて略円弧状に湾曲した背面部１５Ｂと、その背面部１５Ｂの長手方向の一縁に接続され、上面部１５Ａの下端から鉛直方向に立設される側面部１５Ｃとを主体に構成されている。上面部１５Ａ、背面部１５Ｂ及び側面部１５Ｃで囲まれた部分は中空状態となっている。
【００５９】
図６の（ｃ）に示すように、弾性部材１５には、上面部１５Ａの短手方向（幅方向）の正面側の縁部から垂直下方に延設されたツメ部材１５ａ〜１５ｃと、側面部１５Ｃに垂設されたツメ部材１５ｄ〜１５ｆと、上面部１５Ａ及び背面部１５Ｂの変形を容易にするための複数のスリット部１５ｇと、上面部１５Ａに乗った遊技媒体Ｂが当該上面部１５Ａの両端からこぼれ落ちるのを阻止するための凸部１５ｈ，１５ｉとが形成されている。
【００６０】
具体的には、ツメ部材１５ａ〜１５ｃは、本体部材１１の背面壁部１１Ｃの上端に引っ掛かって係合する（図２の（ａ）参照）。また、図６の（ａ）に示すように、ツメ部材１５ｄ〜１５ｆは、本体部材１１の背面壁部１１Ｃに形成された係合孔１１ｈ〜１１ｊにそれぞれ挿通されて係合する。
【００６１】
図７に示すように、弾性部材１５の使用態様としては、本体部材１１に連結させた後、弾性部材１５をパチンコ機２に押し当てながら本体部材１１を固定する。弾性部材１５は、押し当てられることにより実線で示した部分のように変形して設置され、パチンコ機２と本体部材１１の間を塞ぐ。
【００６２】
底板部材１６は、図８に示すように、本体部材１１の内部に設置される部材であって、落下した遊技媒体Ｂを跳ねにくくする。底板部材１６は、案内路部２０に遊技媒体Ｂを導く玉流路部１１１と段差が少なく、かつ、玉流路部１１１を取り囲むように配置され、玉流路部１１１に向かう緩やかな下り斜面になっている。底板部材１６は、受皿２ａから落下した遊技媒体Ｂの衝撃を抑えるため、例えば、低反発素材やゴムシートなどの跳ね返りの小さい素材で構成されることが好ましい。
【００６３】
＜案内路部２０の構成＞
案内路部２０は、図２及び図９に示すように、本体２１と、本体２１を覆うカバー部材２２と、本体２１に形成された玉流路部１１１とを主体に構成されている。案内路部２０は、遊技媒体受入具１０に貯留された遊技媒体Ｂを玉流路部１１１で流下させて玉計数機４側に搬送する部材である。案内路部２０は、一端を遊技媒体受入具１０に、他端を玉計数機４に連結される。
【００６４】
図９の（ａ）に示すように、玉流路部１１１には、２枚の縦板１１１ａと、縦板１１１ａの間に立設する玉分離板２１ａとが形成されている。縦板１１１ａは、玉計数機４側に向けて下り傾斜になっている。玉分離板２１ａによって２列の流路が形成されており、遊技媒体Ｂは縦板１１１ａ上を玉計数機４方向に流下する。縦板１１１ａ，１１１ａ及び玉分離板２１ａはそれぞれ隙間があいているため、この隙間から遊技媒体Ｂに付着したゴミなどが落ちるようになっている。
【００６５】
玉流路部１１１の上部には、高さ規制ピン２１ｊが流下方向と直交する向きに架け渡されている。これにより、遊技媒体Ｂが上下２段に重なり合うことを阻止している。
【００６６】
図９の（ｂ）に示すように、玉流路部１１１の下流端部は、流下方向を玉計数機４側に向けて９０度方向転換し玉計数機４側に臨んでいる。カバー部材２２の上部には、錠２１ｈが形成されている。錠２１ｈは、錠２１ｈに鍵を差し込んで旋回することにより、錠２１ｈの係止片２１ｉが長穴２１ｇから突出又は収納するように構成されている。
【００６７】
図９の（ｂ）に示すように、案内路部２０の下流端部には、矩形を呈する開口２１ｂが設けられている。開口２１ｂは、玉計数機４の開口４１（図９の（ｃ）参照）に望む部位である。開口２１ｂの両側には、玉計数機４方向に向かって突設された板状の嵌合片２１ｄ，２１ｄが形成されている。一対の嵌合片２１ｄは、開口４１に差し込まれる部位である。嵌合片２１ｄの下縁には、上方に向かつて切り欠きされた係合凹部２１ｆが形成されている。嵌合片２１ｄの上部には、丸シャフトからなる係合軸２１ｅが水平に架け渡されている。
【００６８】
図９の（ｃ）に示すように、玉計数機４の前面には、正面視矩形を呈する開口４１が設けられている。開口４１には、中央に立設した玉分離板４２が奥行き方向に延設されており、２列の玉通路４３，４３を形成している。玉分離板４２は、案内路部２０に形成された玉分離板２１ａと連続的に設けられている。玉通路４３は、奥行き方向に向かって下り傾斜となっており、図示しない計数センサ側に遊技媒体Ｂを流下させる。
【００６９】
開口４１の下部には、丸シャフトからなる係合軸４４が水平に架け渡されている。また、開口４１の上部には、先端を上方に折り曲げて形成した係合部４５が、開口４１に臨んで設けられている。係合軸４４及び係合部４５は、案内路部２０と係合する部位である。
【００７０】
案内路部２０と玉計数機４の係合作業は次の手順で行う。
まず、案内路部２０の下流端部を持ち上げながら、玉計数機４の開口４１に嵌合片２１ｄを奥まで嵌挿させた後、下流端部を押し下げる。これにより、係合軸４４に係合凹部２１ｆが上方から係合するとともに、係合部４５に係合軸２１ｅが係合する。
【００７１】
そして、錠２１ｈを施錠すると、長穴２１ｇより係止片２１ｉが突出する。突出した係止片２１ｉは、玉計数機４の開口４１の上縁直下に配置され、この係止片２１ｉによって、案内路部２０の上下方向の移動が拘束される。なお、案内路部２０を離脱する際には、装着と逆の手順で行えばよい。
【００７２】
以上説明した本実施形態によれば、以下のような効果を奏する。
本実施形態の可動壁部材１２によれば、受皿２ａと遊技媒体受入具１０の正面側及び左右側の間隙からの遊技媒体Ｂの跳び出しを阻止することができるので、貯留空間Ｓ内で跳ね返った遊技媒体Ｂが外部に跳び出してパチンコ店の床などに落下してしまうなどの不都合を解消することができる。これにより、遊技者がわざわざ椅子から立ち上がって床に落下した遊技媒体を探したり、収集したりするなどの煩わしい作業をしなくても済むとともに、遊技者が獲得した遊技媒体を紛失することも無い。
【００７３】
また、本実施形態では、可動壁部材１２にはプッシュラッチ機構部１７が形成されているため、可動壁部材１２をワンタッチで収納位置（第１の位置）又は迫り出した位置（第２の位置）に位置させることができる。例えば、可動壁部材１２を第１の位置に位置させて遊技媒体受入具１０を膳板Ｔに設置した後、可動壁部材１２を押下して可動壁部材１２を第２の位置に位置させることにより、遊技媒体受入具１０の取り付け作業を容易に行うことができる。
【００７４】
また、パチンコ玉案内ユニット１を膳板Ｔに固定した状態で、パチンコ機２のメンテナンス等を行う場合には、可動壁部材１２を押し下げて収納位置（第１の位置）に位置させる。これにより、前扉２ｅ（図１参照）を開閉する際に、遊技媒体受入具１０と前扉２ｅとが接触するのを回避できるため、メンテナンス等を容易に行うことができる。なお、図１の符号２ｆは、前扉２ｅの下端を示す。
【００７５】
また、パチンコ機２の前扉２ｅを開閉させるため、遊技媒体受入具１０の本体部材１１の上端は、前扉２ｅの下端２ｆよりも下になるように設置するが、本実施形態では、本体部材１１の上端を下端２ｆに近接させることで、遊技媒体受入具１０の容量を大きくすることができる。
【００７６】
また、本実施形態の張出板部材１３によれば、受皿２ａから落下して貯留空間Ｓ内から上方に跳ね返った遊技媒体Ｂを規制板部１３Ａ〜１３Ｃの裏面で跳ね返して貯留空間Ｓ内に戻すことができる。また、各規制板部１３Ａ〜１３Ｃは下方に傾斜しているため、上面に乗り上げた遊技媒体Ｂを自重により転動させて貯留空間Ｓ内に戻すことができる。また、パチンコ機２の落下口２ｄ（図１参照）の位置に応じて張出板部材１３の取り付け位置を変更することで、遊技媒体Ｂの跳び出しを適切に阻止することができる。
【００７７】
また、本実施形態の固定ベース部材１４によれば、段差Ｈ３がパチンコ島の製造業者別に統一されていない状況においても、段差Ｈ３と略同じ高さとなる複数の固定ベース部材（第１の固定ベース部材１４Ａ及び第２の固定ベース部材１４Ｂの組み合わせ）を遊技媒体受入具１０と膳板Ｔの間に設置することで、パチンコ玉案内ユニット１を容易に設置することができる。
【００７８】
また、本実施形態の固定ベース部材１４によれば、両面粘着シートで膳板Ｔの支持面Ｔ１に固定するように構成したため、膳板Ｔに穴を開けるなどの追加工を施す必要がなく、パチンコ機２の設置の際や機種の入替えの際の作業性を向上させることができる。また、これにより、膳板Ｔを繰り返し使用することができる。
【００７９】
また、本実施形態の弾性部材１５によれば、パチンコ機２に押し当てられて遊技媒体受入具１０の背面側とパチンコ機２との間の間隙を塞ぐことができるので、貯留空間Ｓ内で跳ね返って背面側（パチンコ機２側）に跳んだ遊技媒体Ｂが外部に跳び出すのを阻止することができる。また、パチンコ機２に押し当てられた状態で上面部１５Ａが傾斜することで当該上面部１５Ａ上に跳ね乗った遊技媒体Ｂを貯留空間Ｓ内に戻すことができる。さらに、上面部１５Ａの両端に凸部１５ｈ，１５ｉを備えることで、上面部１５Ａに跳ね乗った遊技媒体Ｂが両サイドからこぼれ落ちるのを阻止することができる。
【００８０】
本実施形態の底板部材１６によれば、玉流路部１１１との段差を少なくしたことから、遊技媒体受入具１０の貯留空間Ｓに収容できる遊技媒体Ｂの数量を増大することが可能となる。また、跳ね返りの小さい素材を採用していることから、底板部材１６に衝突した遊技媒体Ｂが跳ね返る高さを低くすることが可能となる。さらに、底板部材１６は、玉流路部１１１に連続する緩やかな下り斜面が形成されていることから、底板部材１６の上面に落下した遊技媒体Ｂを自重により転動させて玉流路部１１１にスムーズに案内することが可能である。
【００８１】
＜固定ベース部材の変形例＞
次に、固定ベース部材の変形例について説明する。図１０は、固定ベース部材の変形例を示す斜視図である。図１０に示すように、固定ベース部材１４Ｃは、遊技媒体受入具１０を連結した場合に、遊技媒体受入具１０の本体部材１１の周囲にできる周縁スペース部分に案内溝１５１が形成されている点で前記した実施形態と相違する。
【００８２】
固定ベース部材１４Ｃは、遊技媒体受入具１０の本体部材１１が載置される載置部位１５０と、載置部位１５０の周りを囲む非載置部位１５１（案内溝１５１とも言う）を備えている。案内溝１５１は、図１０中のハッチで示す部分である。固定ベース部材１４Ｃは、案内溝１５１分だけ遊技媒体受入具１０の本体部材１１の底面よりも一回り大きなサイズとなっている。
【００８３】
案内溝１５１の外縁の正面側及び左右側には溝壁１５２ａ〜１５２ｃが形成されている。また、案内溝１５１は、正面中央部分１５１ａに向けて下るように傾斜している。固定ベース部材１４Ｃによれば、遊技媒体受入具１０の高さ調節が可能となるとともに、仮に、遊技媒体Ｂが遊技媒体受入具１０からこぼれ落ちた場合であっても、案内溝１５１が遊技媒体Ｂを受け止め、遊技媒体Ｂの自重により案内溝１５１内を転動して正面中央部分１５１ａ付近（遊技者の手元）まで案内することができる。つまり、遊技媒体受入具１０の外部に跳び出た遊技媒体を容易に回収することができる。なお、必要に応じて案内溝１５１の背面側にも溝壁を設けてもよい。
【００８４】
＜可動壁部材及び張出板部材の変形例＞
次に、可動壁部材及び張出板部材の変形例について説明する。図１１は、可動壁部材及び張出板部材の変形例を示す斜視図である。変形例で示す可動壁部材１２’は、溝部１２１及び貯留部１２２を有する点で前記した実施形態と相違する。
【００８５】
図１１に示すように、可動壁部材１２’の上端部には、遊技媒体Ｂを正面中央（遊技者の手元）まで案内するための溝部１２１と、その溝部１２１で案内された遊技媒体Ｂを複数個貯留することが可能な貯留部１２２とが形成されている。
【００８６】
溝部１２１は、可動壁部材１２’の上端部の周縁に沿って延設された底面部１２１ａと、底面部１２１ａの一端側に立設する立設部１２１ｂと、底面部１２１ａの他端側に設置された張出板部材１３’とで構成されている。底面部１２１ａは、貯留部１２２に向けて下るように傾斜している。張出板部材１３’の規制板部１３Ａ’〜１３Ｃ’は、底面部１２１ａ側に向けて傾斜するように設置されている。
【００８７】
貯留部１２２は、可動壁部材１２’の正面中央の上部において、正面側に張り出した部分である。貯留部１２２は、複数個の遊技媒体Ｂを貯留可能に形成されており、背面側が貯留空間Ｓに連通している。
【００８８】
変形例に係る可動壁部材１２’及び張出板部材１３’によれば、張出板部材の上面に乗った遊技媒体Ｂが傾斜面により底面部１２１ａに案内され、底面部１２１ａの傾斜によって遊技媒体Ｂが貯留部１２２に案内される。これにより、仮に、張出板部材１３’に遊技媒体Ｂが乗り上げても溝部１２１を介して遊技媒体Ｂを容易に回収することが可能となる。
【００８９】
＜弾性部材の変形例＞
次に、弾性部材の変形例について説明する。図１２は、弾性部材の変形例を示す全体斜視図であり、係合前の状態を示す。図１３の（ａ）は、弾性部材の変形例を示す単体斜視図であり、（ｂ）は、ブラケットを示す単体斜視図であり、（ｃ）は、弾性部材とブラケットを係合させた状態の断面図である。図１４は、第一支持部及び第三支持部を示す斜視図である。図１５の（ａ）は、弾性部材の変形例を示す全体斜視図であり、係合後の状態を示し、（ｂ）はその要部拡大図である。
【００９０】
図１２に示すように、変形例に係る弾性部材２０１は、ブラケット２０２を介して遊技媒体受入具１０の本体部材１１に係合される点で前記した実施形態と相違する。
【００９１】
弾性部材２０１は、図１３の（ａ）に示すように、基板部２１１と、下側延設部２１２，２１３と、上側延設部２１４と、立壁２１５と、を有する。弾性部材２０１は、ゴムなどの弾性体で形成されている。
【００９２】
基板部２１１は、板状を呈し、本体部材１１の長手方向と略同等の長さで形成されている。基板部２１１には、背面側に突出する突起部２１１ａが等間隔で４つ形成されている。突起部２１１ａの先端には、その外周面から突出する一対の突条が形成されている。
【００９３】
下側延設部２１２，２１３は、基板部２１１の下端から背面側に張り出す板状の部位である。下側延設部２１２，２１３は、ブラケット２０２の下端を保持する部位である。下側延設部２１２，２１３の張り出し長さは、ブラケット２０２の板厚よりも若干大きくなっている。また、下側延設部２１２，２１３の間は空間になっている。
【００９４】
上側延設部２１４は、基板部２１１の上端から背面側に張り出す板状の部位である。上側延設部２１４の張り出し長さは、後記するブラケット２０２の基部２２１に係る板厚の約２倍になっている。上側延設部２１４は、中央部２１４ａと、中央部２１４ａに連続し中央部２１４ａよりも一段下がった位置に形成された左側部２１４ｂ、右側部２１４ｃとを備えている。
【００９５】
立壁２１５は、上側延設部２１４の中央部２１４ａにおいて上方に立設する部位である。立壁２１５は、センター部２１５ａと、センター部２１５ａの左端に形成された左側迫出し部２１５ｂと、センター部２１５ａの右端に形成された右側迫出し部２１５ｃと、を有する。センター部２１５ａは、上側延設部２１４の中央部２１４ａと略同等の長さで形成されている。左側迫出し部２１５ｂ及び右側迫出し部２１５ｃは、センター部２１５ａに対して正面側に傾斜し、正面側に迫り出すように形成されている。
【００９６】
ブラケット２０２は、図１３の（ｂ）に示すように、基部２２１と、左側挿入部２２２と、右側挿入部２２３と、保護部２２４とを有する。ブラケット２０２の材料は特に制限されないが、本実施形態では金属で形成されている。
【００９７】
基部２２１は、板状を呈し、弾性部材２０１の基板部２１１と面接触する部位である。基部２２１には、弾性部材２０１の突起部２１１ａが押入される貫通孔２２１ａが４つ形成されている。
【００９８】
左側挿入部２２２は、基部２２１の左端に形成され、図１２に示す第一支持部２０３に係合される部位である。右側挿入部２２３は、基部２２１の右端に形成され、図１２に示す第二支持部２０４に係合される部位である。左側挿入部２２２及び右側挿入部２２３は、弾性部材２０１の基板部２１１の板厚分正面側にセットバックしている。左側挿入部２２２及び右側挿入部２２３には、それぞれ外側に向けて開放されたスリット２２２ａ，２２３ｂが形成されている。
【００９９】
保護部２２４は、基部２２１の上端に設けられており、上方で折り返して下端が自由端になっている。つまり、保護部２２４によって、基部２２１の上部の板厚が二倍になっている。保護部２２４は、弾性部材２０１の中央部２１４ａと略同等の長さで形成されている。保護部２２４は、弾性部材２０１の基板部２１１の上部のへたりを防ぐ部位である。
【０１００】
ブラケット２０２に弾性部材２０１を取り付ける際には、ブラケット２０２の正面側から弾性部材２０１の突起部２１１ａを貫通孔２２１ａに押し込んで係合させる。これにより、図１３の（ｃ）に示すように、ブラケット２０２の基部２２１の正面側の面と、弾性部材２０１の基板部２１１の背面側の面が接触し、ブラケット２０２の基部２２１の下端が、下側延設部２１２（２１３）に支持される。また、具体的な図示はしないが、弾性部材２０１の基板部２１１の正面側の面と、ブラケット２０２の左側挿入部２２２及び右側挿入部２２３の正面側の面は略面一になる。
【０１０１】
次に、図１２に示すように、ブラケット２０２を係合させる支持部について説明する。ブラケット２０２は、本体部材１１の背面側に形成された第一支持部２０３、第二支持部２０４及び第三支持部２０５で支持される。
【０１０２】
図１４に示すように、第一支持部２０３は、基体部２３１と、支持板２３２と、係合片２３３とを有する。第一支持部２０３は、ブラケット２０２の左側挿入部２２２（図１２参照）と係合する部位である。
【０１０３】
基体部２３１は、本体部材１１の左側壁部１１Ｄに対して垂直に形成された板状部材である。基体部２３１は、背面側から見ると略逆Ｌ字状を呈する。基体部２３１は、本体部材１１の背面壁部１１Ｃからブラケット２０２の板厚分背面側にセットバックしている。
【０１０４】
支持板２３２は、背面壁部１１Ｃと基体部２３１とを連結する部材であって、ブラケット２０２の左側挿入部２２２を当接支持する。支持板２３２は、背面壁部１１Ｃ及び基体部２３１に対してそれぞれ垂直に形成されている。
【０１０５】
係合片２３３は、背面壁部１１Ｃから下方に向けて延設された板状部材であって、下部が自由端になっている。係合片２３３の下端には、背面側に向けて突出された係合突起２３３ａが形成されている。係合突起２３３ａは、背面壁部１１Ｃの背面側の面よりも背面側に突出している。係合突起２３３ａの断面形状は、本実施形態では三角形になっている。
【０１０６】
第二支持部２０４は、図１２に示すように、ブラケット２０２の右側挿入部２２３と係合する部位である。第二支持部２０４は、第一支持部２０３と対称に形成されているため、詳細な説明は省略する。
【０１０７】
第三支持部２０５は、ブラケット２０２の基部２２１の下端を当接支持する部位である。第三支持部２０５は、図１４に示すように、背面壁部１１Ｃの背面側の面に形成されており、断面視略Ｌ字状を呈する。第三支持部２０５は、背面壁部１１Ｃに対して垂直な底面部２０５ａと、底面部２０５ａに対して垂直な鉛直部２０５ｂとを有する。底面部２０５ａの上面は、支持板２３２の上面と同一の高さ位置となるように形成されている。
【０１０８】
図１２乃至図１５に示すように、弾性部材２０１を取り付けたブラケット２０２を本体部材１１に取り付ける際には、ブラケット２０２の左側挿入部２２２を第一支持部２０３に、右側挿入部２２３を第二支持部２０４にそれぞれ挿入する。左側挿入部２２２と係合片２３３の係合突起２３３ａとが接触することによって、係合突起２３３ａが正面側に一旦押し込まれる。左側挿入部２２２の下端が支持板２３２に当接すると、係合片２３３の付勢によって、左側挿入部２２２のスリット２２２ａに係合突起２３３ａが係合する。また、右側挿入部２２３も左側挿入部２２２と同様に、第二支持部２０４に係合する。さらに、第三支持部２０５の底面部２０５ａにブラケット２０２の基部２２１の下端が当接する。これにより、本体部材１１に対して弾性部材２０１を取り付けたブラケット２０２を係合支持することができる。
【０１０９】
本体部材１１に弾性部材２０１を取り付けると、図１５の（ａ）及び（ｂ）に示すように、立壁２１５は、可動壁部材１２の上端よりも上方に位置する。弾性部材２０１の左側迫出し部２１５ｂ及び右側迫出し部２１５ｃは正面側、つまり、可動壁部材１２の内側に迫り出すように配置される。パチンコ機２（図１参照）の前扉２ｅを開閉する際には、前扉２ｅの下端２ｆが立壁２１５に接触するが、立壁２１５が弾性変形して撓むため、前扉２ｅの開閉を行うことができる。
【０１１０】
弾性部材２０１を取り付けたブラケット２０２を本体部材１１から取り外す際には、例えば工具等を用いて係合突起２３３ａを正面側に押し込んで、左側挿入部２２２のスリット２２２ａ及び右側挿入部２２３のスリット２２３ｂとの係合を解除しつつ、ブラケット２０２を上方に引き上げる。これにより、ブラケット２０２を本体部１１から取り外すことができる。
【０１１１】
この変形例によってもパチンコ機２（図１参照）と本体部材１１との間を弾性部材２０１で塞ぐことができる。さらに、この変形例によれば、弾性部材２０１の左側迫出し部２１５ｂ及び右側迫出し部２１５ｃが正面側に迫り出しているため、遊技媒体Ｂが外部に跳び出るのをより防止することができる。
【０１１２】
また、この変形例では、ブラケット２０２に保護部２２４を備えているため、弾性部材２０１の基部２１１の上部を補強することができる。前扉２ｅの開閉に伴って立壁２１５周りが撓んでへたり易くなるが、保護部２２４によって弾性部材２０１の寿命を長くすることができる。
【０１１３】
また、弾性部材２０１を本体部材１１に取り付ける際には、ブラケット２０２を第一支持部２０３、第二支持部２０４及び第三支持部２０５に落としこむだけでよいため取り付け性が高い。また、係合突起２３３ａをスリット２２２ｂ，２２３ｂから解除してブラケット２０２を引き上げるだけで容易に取り外すことができる。
【０１１４】
また、例えば立壁２１５がへたって劣化した場合は、ブラケット２０２から弾性部材２０１のみを取り替えて対応することができる。また、ブラケット２０２は、金属製であるため剛性が高い。これにより、取付性、耐久性を高めることができる。なお、この変形例においては、ブラケット２０２と本体部材１１を前記したように係合させたが、ブラケット２０２と本体部材１１との係合手段は他の形態であってもよい。
【０１１５】
以上、本発明の実施形態について説明したが、本発明の趣旨に反しない範囲において適宜設計変更が可能である。
【０１１６】
例えば、前記した実施形態では、パチンコ店やゲームセンタなどの遊技店舗に設置され、入賞役の抽選を実行し、抽選結果に応じて遊技媒体を払出す機能を有する弾球遊技機（パチンコ機）に対応付けて設置されるパチンコ玉案内ユニット１について説明したが、これに限らず、遊技結果に応じて遊技媒体（球状の遊技媒体や、球状以外の形状の遊技媒体など）を外部の受皿に払出すことができる遊技機であれば他の遊技機に対応付けて設置される遊技媒体案内ユニット１とすることも可能である。
【０１１７】
また、前記した実施形態では、遊技媒体受入具１０と案内路部２０とは別体で構成される形態について説明したが、遊技媒体受入具１０と案内路部２０とが一体に形成されるような形態としてもよい。
【０１１８】
また、前記した実施形態では、パチンコ玉案内ユニット１が遊技媒体Ｂを案内する案内先として、玉計数機４の下端側に収納された玉計数機４の場合を例にして説明したが、これに限らず、玉計数機４以外の箱体に収納された玉計数機４などその他の箇所を案内先として設定してもよい。
【０１１９】
また、前記した実施形態では、可動壁部材を受皿に押し当てる付勢力を生じることができる付勢手段として、捩りばねを例にした場合について説明したが、これに限らず、電気的に付勢することができる機構部を設けるようにしてもよい。また、本実施形態では、可動壁部材と受皿とを当接させたが、必ずしも当接させる必要は無い。
【０１２０】
また、前記した実施形態では、段差Ｈ３を考慮して固定ベース部材１４を実装するパチンコ玉案内ユニット１の場合について説明したが、これに限らず、遊技媒体受入具１０の高さを調整しなくても安定してパチンコ玉案内ユニット１を設置できる遊技媒体受入具１０である場合には、固定ベース部材１４を実装しない形態のパチンコ玉案内ユニット１とすることも可能である。
【０１２１】
その他、前記した実施形態における各部材の構成、形状、材質などは単なる例として記載したものであり、本発明はこれらにより限定されない。
【符号の説明】
【０１２２】
１      パチンコ玉案内ユニット（遊技媒体案内ユニット）
２      パチンコ機（遊技機）
２ａ    受皿
３      玉貸出機
４      玉計数機（計数機）
１０    遊技媒体受入具
２０    案内路部
１１    本体部材
１２    可動壁部材
１３    張出板部材
１４    固定ベース部材
１５    弾性部材
１５ｈ  凸部
１５ｉ  凸部
１６    底板部材
１７    プッシュラッチ機構部（押込み式係止機構部）
１７ａ  オス部
１７ｂ  メス部
１８    回動機構部
１８ａ  回動軸
１８ｂ  捩りばね（付勢手段）
１１１  玉流路部（流路部）
１５０  載置部位
１５１  案内溝
２０１  弾性部材
２０２  ブラケット
Ｂ      遊技媒体
Ｓ      貯留空間
Ｔ      膳板
【図１】
0005512390.tif 000002
【図２】
0005512390.tif 000003
【図３】
0005512390.tif 000004
【図４】
0005512390.tif 000005
【図５】
0005512390.tif 000006
【図６】
0005512390.tif 000007
【図７】
0005512390.tif 000008
【図８】
0005512390.tif 000009
【図９】
0005512390.tif 000010
【図１０】
0005512390.tif 000011
【図１１】
0005512390.tif 000012
【図１２】
0005512390.tif 000013
【図１３】
0005512390.tif 000014
【図１４】
0005512390.tif 000015
【図１５】
0005512390.tif 000016